(57)【要約】【課題】従来の方法よりも、より迅速に土を盛り立てることができ、かつ、より高い遮水性を発揮することができる土の盛り立て方法を提供する。【解決手段】岩盤面１ａとその上に盛立てた盛土との間の遮水性を確保するための土の盛立て方法として、液性限界以上の含水比となるように調整された第１の粘性土を岩盤面１ａに吹き付けて岩盤面１ａ上に１〜５０ｍｍの厚さの第１の土層２を形成する第１の積層工程と、含水比が、塑性限界以上液性限界未満であって、締固めのための最適含水比を基準として５％低い値と２０％高い値との間の値となるように調整された第２の粘性土を第１の土層２の表面に少なくとも４ｃｍの厚さで積層し第２の土層３を形成する第２の積層工程とを有する。粘性土を岩盤面１ａに吹き付けることによって第１の土層２を形成するので、ブラシ等で塗布する場合に比べて粘性土が岩盤面１ａに浸透及び密着しやすい【選択図】図１
2019085796.tif 000002
【特許請求の範囲】
【請求項１】
岩盤面とその上に盛立てた盛土との間の遮水性を確保するための土の盛立て方法であって、
液性限界以上の含水比となるように調整された第１の粘性土を前記岩盤面に吹き付けて前記岩盤面上に１〜５０ｍｍの厚さの第１の土層を形成する第１の積層工程と、
含水比が、塑性限界以上液性限界未満であって、締固めのための最適含水比を基準として５％低い値と２０％高い値との間の値となるように調整された第２の粘性土を前記第１の土層の表面に少なくとも４ｃｍの厚さで積層し第２の土層を形成する第２の積層工程と、を有する、土の盛立て方法。
【請求項２】
前記第１の粘性土は、含水比が液性限界以上かつ液性限界の２倍を超えないように調整されたものである、請求項１記載の土の盛立て方法。
【請求項３】
前記第２の積層工程において、前記第２の粘性土を前記第１の土層の表面に吹き付けることで前記第２の土層を形成する、請求項１又は２記載の土の盛立て方法。
【請求項４】
前記第１の積層工程の前に、
前記岩盤面に空気を吹き付けて前記岩盤面を清掃する清掃工程を有する、請求項１〜３のいずれか一項記載の土の盛立て方法。
【請求項５】
前記第１の積層工程において、前記第１の粘性土の含水状態の均一性を維持するための撹拌装置を備えた収容器に前記第１の粘性土を収容し、前記収容器内の前記第１の粘性土を空気で圧送して噴射する、請求項１〜４のいずれか一項記載の土の盛立て方法。
【発明の詳細な説明】
【技術分野】
【０００１】
本発明は、土の盛立て方法に関する。
【背景技術】
【０００２】
岩盤に土を盛り立てる工事としては、フィルダムの堤体を施工する場合のように、土と岩盤との境界面が水みちとならないように高い遮水性が求められる場合がある。この場合において、凹凸のある岩盤面に土を盛り立てるには、例えば非特許文献１に開示されているように、岩盤面にクレイスラリーを薄く塗布した後、コンタクトクレイを盛り立てることが行われている。
【先行技術文献】
【非特許文献】
【０００３】
【非特許文献１】勝又正治、“「コンタクトクレイ吹き付け工法」−着岩材の吹き付け機械化施工について−”、建設の施工企画、一般社団法人日本建設機械施工協会、２００７年１１月、第６９３号、２６〜３０頁
【発明の概要】
【発明が解決しようとする課題】
【０００４】
このような土の盛立て施工においては、含水比を調整した土の性状が変化しないうちに手早く工程を終える必要があるとともに、高い遮水性が求められる。
【０００５】
そこで本発明は、従来の方法よりも、より迅速に土を盛り立てることができ、かつ、より高い遮水性を発揮することができる土の盛り立て方法を提供することを目的とする。
【課題を解決するための手段】
【０００６】
本発明は、岩盤面とその上に盛立てた盛土との間の遮水性を確保するための土の盛立て方法であって、液性限界以上の含水比となるように調整された第１の粘性土を岩盤面に吹き付けて岩盤面上に１〜５０ｍｍの厚さの第１の土層を形成する第１の積層工程と、含水比が、塑性限界以上液性限界未満であって、締固めのための最適含水比を基準として５％低い値と２０％高い値との間の値となるように調整された第２の粘性土を第１の土層の表面に少なくとも４ｃｍの厚さで積層し第２の土層を形成する第２の積層工程と、を有する、土の盛立て方法を提供する。
【０００７】
この方法では、粘性土を岩盤面に吹き付けることによって第１の土層を形成するので、ブラシ等で塗布する場合に比べて粘性土が岩盤面に浸透及び密着しやすいうえ、均一性も向上する。従って、高い遮水性を発揮することができる。また、ブラシ等による塗布では作業が遅く、先に塗布した部分が第２の積層工程に移る前に乾いてしまう恐れがあるが、吹付けで行うことによれば、作業が速く、第２の積層工程との連続性が向上する。その結果、第１の土層と第２の土層との付着性が向上し、高い遮水性を発揮することができる。
【０００８】
この方法において、第１の粘性土は、含水比が液性限界以上かつ液性限界の２倍を超えないように調整されたものであることが好ましい。ブラシ等による塗布では粘性土を薄く引き延ばす必要があるために所定以上の流動性が必要であるが、吹付けで行うことによれば粘性土を引き延ばす必要がないため、比較的含水比の小さい（すなわち流動性が低い）状態の粘性土を使用することができる。従って、液だれを防止することができ、作業性が向上する。
【０００９】
第２の積層工程においては、第２の粘性土を第１の土層の表面に吹き付けることで第２の土層を形成することが好ましい。この場合、第１の積層工程と第２の積層工程の両方を吹付けで行うこととなるので、作業に用いる装置を共通化することができ、段取り替えの手間が小さく済む。
【００１０】
また、この方法においては、第１の積層工程の前に、岩盤面に空気を吹き付けて岩盤面を清掃する清掃工程を有することが好ましい。岩盤面に形成する第１の土層は、１〜５０ｍｍの厚さのものであるので、岩盤面に小石等の物体が存在した状態で第１の土層を形成すると、遮水性が低下する原因となる。従って、第１の土層を形成する前に岩盤面を清掃することが好ましい。またこのとき、空気を吹き付けることによって清掃すると、速くて容易である。
【００１１】
第１の積層工程において、第１の粘性土の含水状態の均一性を維持するための撹拌装置を備えた収容器に第１の粘性土を収容し、収容器内の第１の粘性土を空気で圧送して噴射することが好ましい。
【発明の効果】
【００１２】
本発明によれば、従来の方法よりも、より迅速に土を盛り立てることができ、かつ、より高い遮水性を発揮することができる土の盛り立て方法を提供することができる。
【図面の簡単な説明】
【００１３】
【図１】土の盛り立て方法の実施手順を示す断面図である。（Ａ）は岩盤を示し、（Ｂ）は第１の土層が形成された様子を示し、（Ｃ）は第２の土層が形成された様子を示している。
【図２】粘性土の吹付けに用いる噴射装置の模式図である。
【発明を実施するための形態】
【００１４】
以下、本発明の好適な実施形態について、図面を参照しながら詳細に説明する。なお、各図において同一部分又は相当部分には同一符号を付し、重複する説明は省略する。
【００１５】
一実施形態として、フィルダムの堤体の施工における着岩部の遮水施工を取り上げる。堤体と岩盤とが接する着岩部では、盛土と岩盤との境界面が水みちとならないように高い遮水性が求められるところ、本実施形態では、凹凸のある岩盤面に対し、クレイスラリー（第１の粘性土）を薄く塗布した後、コンタクトクレイ（第２の粘性土）を盛り立てることによって遮水性を確保する。
【００１６】
ここでクレイスラリーとは、遮水性が高く細粒の粘性土を水で溶いてスラリー状にしたものをいう。また、コンタクトクレイとは、遮水性が高く細粒の粘性土で、クレイスラリーよりも含水比が低い材料をいう。両粘性土は、同一の土壌に由来するものであってもよく、異なる土壌に由来するものであってもよい。以下に示す施工手順においては、いずれも分級や砂礫の除去が済んだ状態のものを想定する。
【００１７】
はじめに、凹凸のある岩盤１の岩盤面１ａ（図１（Ａ）参照）に空気を吹き付けて、表面に存在する小石などの障害物を除去する（清掃工程）。空気の吹付けは、コンプレッサーで発生させた圧縮空気を所定のノズルから噴射することで行う。
【００１８】
次に、清掃した岩盤面１ａに水を吹き付けて岩盤面を保湿する（保湿工程）。水の吹付は、コンプレッサーで発生させた圧縮空気とともに所定のノズルから噴射することで行ってもよいし、水道の蛇口にホースを取り付け、ホースの他端から噴射することで行ってもよい。
【００１９】
岩盤面が保湿されている間に、岩盤面１ａにクレイスラリーを吹き付けて、クレイスラリー層（第１の土層）２を形成する（第１の積層工程、図１（Ｂ）参照）。
【００２０】
吹き付けて形成するクレイスラリー層２の厚さは、１〜５０ｍｍとする。クレイスラリー層２の厚さは、１〜５ｍｍであることが好ましく、１〜２ｍｍであることがより好ましい。ここでは、クレイスラリー層２の上から岩盤面１ａの凹凸を認識することができる状態であってもよい。
【００２１】
ここで、吹き付けるクレイスラリーは、クレイの液性限界以上の含水比（％）となるように事前調整したものを用いる。ここで液性限界とはＪＩＳ  Ａ  １２０５により求められるものをいい、土の種類によって異なる値を示すものである。含水比は、クレイの液性限界以上かつ液性限界の２倍を超えない値であることが好ましい。
【００２２】
クレイスラリーの吹付けは、ハンドガンタイプの噴射器を用いることができる。より具体的には、図２に示されているとおり、噴射装置１０に接続された噴射器を用いることができる。所定の容器内で含水比を調製したクレイスラリーを収容器６に移し替え、収容器６内に備わっている撹拌装置７を駆動して、クレイスラリーの含水状態の均一性を維持する。なお、図示していないが、撹拌装置７は所定の動力源に接続されている。
【００２３】
収容器６の底部は管状になっており、圧縮空気が圧送される圧送管８に連通している。圧送管は一方（図示左側）がコンプレッサーに接続されており、他方（図示右側）が噴射器に接続されている。コンプレッサーを駆動して空気を圧送することにより、クレイスラリーを高圧空気とともに噴射器から噴射することができる。
【００２４】
クレイスラリー層２を形成した後、クレイスラリー層２が乾燥しないうちに、クレイスラリー層２の上にコンタクトクレイを吹き付ける（第２の積層工程、図１（Ｃ）参照）。
【００２５】
吹き付けて形成するコンタクトクレイ層（第２の土層）３の厚さは、少なくとも４ｃｍとする。厚さの上限は、工事の要請に応じて５０ｃｍであってもよく、２５ｃｍであってもよい。コンタクトクレイ層３は、岩盤面１ａの凹凸を認識することができない厚さとすることが好ましい。
【００２６】
ここで、吹き付けるコンタクトクレイは、含水比が塑性限界以上液性限界未満であって、締固めのための最適含水比を基準として５％低い値と２０％高い値との間の値となるように事前調整したものを用いる。ここで塑性限界とはＪＩＳ  Ａ  １２０５により求められるものをいい、土の種類によって異なる値を示すものである。含水比の調整は、塑性限界以上液性限界未満であって、締固めのための最適含水比を基準として２％低い値と１５％高い値との間の値としてもよく、最適含水比を基準として１％低い値と１０％高い値との間の値としてもよい。
【００２７】
コンタクトクレイの吹付けは、クレイスラリーの吹付けで用いた噴射装置１０を同様に用いることができる。噴射器としては、同様のハンドガンタイプのものを用いてもよいし、これよりも口径が大きいノズルを用いてもよい。
【００２８】
コンタクトクレイの吹付けは、複数回にわたって行ってもよい。すなわち、図１（Ｃ）に示されているとおり、一回目の吹き付けを終えて第１のコンタクトクレイ層３Ａを形成したあと、その上に再度コンタクトクレイを吹き付け、第２のコンタクトクレイ層３Ｂを形成してもよい。更には、その上に第３のコンタクトクレイ層、第４のコンタクトクレイ層を積層してもよい。この場合において、各回の吹付けごとにコンタクトクレイ層を転圧してもよい。または、吹付けが転圧を兼ねてもよい。
【００２９】
以上の手順によって、着岩部の遮水性を確保するための粘性土が盛り立てられる。
【００３０】
この盛立て方法では、クレイスラリーを岩盤面１ａに吹き付けることによってクレイスラリー層２を形成するので、ブラシ等で塗布する場合に比べてクレイスラリーが岩盤面１ａに浸透及び密着しやすいうえ、均一性も向上する。更には、クレイスラリーが細かい亀裂にも浸入しやすい。従って、高い遮水性を発揮することができる。また、ブラシ等による塗布では作業が遅く、先に塗布した部分が第２の積層工程（コンタクトクレイの積層）に移る前に乾いてしまう恐れがあるが、吹付けで行うことによれば、作業が速く、第２の積層工程との連続性が向上する。その結果、クレイスラリー層２とコンタクトクレイ層３との付着性が向上し、高い遮水性を発揮することができる。
【００３１】
また、従来のブラシ等による塗布ではクレイスラリーを手作業で薄く引き延ばす必要があるために所定以上の流動性が必要であったが、本実施形態の盛立て方法では、クレイスラリーを吹き付けることで土層を形成するため、クレイスラリーを引き延ばす必要がなく、比較的含水比の小さい（すなわち流動性が低い）状態のクレイスラリーを使用することができる。従って、液だれを防止することができ、作業性が向上する。また、作業員の手が届きにくい場所に対しても、噴射器によって吹き付けることができる。
【００３２】
また、本実施形態では第１の積層工程及び第２の積層工程をいずれも吹付けで行っているので、用いる装置（噴射装置１０）を共通化することができ、作業性が向上する。また、噴射装置１０はクレイスラリーの含水状態の均一性を維持するための撹拌装置７を備えているので、作業中にクレイスラリーの土粒子が分離及び沈降することが防止される。
【００３３】
また、この実施形態では、第１の積層工程の前に、岩盤面１ａに空気を吹き付けて岩盤面１ａを清掃する清掃工程を有しているので、岩盤面から小石等の障害物が取り払われ、障害物を原因とする遮水性の低下が防止される。
【００３４】
以上、本発明の好適な実施形態について説明したが、本発明は上記実施形態に何ら限定されるものではない。例えば、上記実施形態では第１の積層工程と第２の積層工程とのいずれも吹付けで行ったが、第２の積層工程は、吹付けでなくコンタクトクレイを敷き均すことで行ってもよい。そして、コンタクトクレイ層３の締固めは、木槌やエアタンパーで叩くことで行ってもよい。
【符号の説明】
【００３５】
１…岩盤、１ａ…岩盤面、２…クレイスラリー層（第１の土層）、３…コンタクトクレイ層（第２の土層）、３Ａ…第１のコンタクトクレイ層、３Ｂ…第２のコンタクトクレイ層、６…収容器、７…撹拌装置、８…圧送管、１０…噴射装置。
【図１】
2019085796.tif 000003
【図２】
2019085796.tif 000004